(57)【特許請求の範囲】
【請求項１】
筐体と、
エレメントと該エレメントの基端部側に固定部とを備えて、前記筐体の止水領域の外側に設置されるアンテナと、
前記アンテナの前記固定部を着脱可能に取り付けるアンテナ取付け部を備えて前記筐体の止水領域の外側に設けられたベース部と、該ベース部に設けられ、先端側のフランジ部及び該フランジ部より前記ベース部側に径小部を有して前記止水領域の外側から前記止水領域の内側に貫通する連結部と、を備える給電部材と、
前記筐体の前記止水領域の内側に設置され、前記筐体を前記ベース部との間に挟み込んで前記止水領域に突出した前記連結部の前記径小部に係合する接点部材と、
を備えることを特徴とする携帯端末装置。
【請求項２】
さらに、前記給電部材または前記筐体に設けられ、前記止水領域を止水する止水手段と、
を備えることを特徴とする請求項１に記載の携帯端末装置。
【請求項３】
さらに、前記アンテナ取付け部が設置された収納部に取外し可能に取り付けられ、前記アンテナの前記固定部が取り付けられた前記アンテナ取付け部を覆うカバーと、
を備えることを特徴とする請求項１または２に記載の携帯端末装置。
【請求項４】
前記止水領域の外側の筐体の側面に設けられ、前記給電部材を収納する収納部と、
前記収納部に前記止水領域の外側から前記止水領域の内側に貫通して設けられ、前記連結部が挿入される貫通孔と、
前記貫通孔内で前記連結部または前記筐体に設けられ、前記止水領域および前記貫通孔を止水する止水手段と、
を備えることを特徴とする請求項１に記載に携帯端末装置。
【請求項５】
さらに、前記収納部に取外し可能に取り付けられ、前記アンテナの前記固定部が取り付けられた前記アンテナ取付け部を覆うカバーと、
を備えることを特徴とする請求項４に記載の携帯端末装置。
【請求項６】
筐体の止水領域の外側に、エレメントと該エレメントの基端部側に固定部とを備えたアンテナの前記固定部を着脱可能に取付けるアンテナ取付け部を設けたベース部と、該ベース部に設けられて先端側のフランジ部及び該フランジ部より前記ベース部側に径小部が形成された連結部とを備えた給電部材の前記ベース部を配置し、前記連結部を前記筐体の止水領域の外側から前記止水領域の内側に貫通させて、前記給電部材を前記筐体に取り付け、
前記筐体の前記止水領域の内側に設置された接点部材を、前記筐体を前記ベース部との間に挟み込んで前記止水領域に突出した前記連結部の前記径小部に係合し、
前記給電部材または前記筐体に取り付けられた止水手段で前記止水領域を止水し、
前記筐体の前記止水領域の外側に配置された前記アンテナ取付け部にアンテナの前記固定部を着脱可能に取り付ける、
ことを特徴とする携帯端末装置の製造方法。
【発明の詳細な説明】
【技術分野】
【０００１】
本発明は、ＴＶ受信用アンテナなどのアンテナを備える携帯端末装置のアンテナの取付け構造に関する。
【背景技術】
【０００２】
携帯電話機などの携帯端末装置にはＴＶ受信用アンテナが備えられ、また、そのケースには止水構造を備えて、ケース内防水が図られている。このような携帯端末装置に設置されるアンテナは、ケース外にエレメントを備え、このエレメントをケース内の高周波回路部に接続している。
【０００３】
このようなアンテナに関し、アンテナユニットを着脱可能にした構造が知られている（特許文献１）。
【先行技術文献】
【特許文献】
【０００４】
【特許文献１】特開２００７−２０２０７１号公報
【発明の概要】
【発明が解決しようとする課題】
【０００５】
ところで、アンテナユニットを着脱可能にしたアンテナであっても、アンテナの損傷や、組立て工程で不良を発見した場合にはアンテナ自体の交換が必要である。
【０００６】
また、従来の携帯端末装置について、図２０を参照する。携帯端末装置２００の筐体２０２にはアンテナ２０４が設置されている。筐体２０２は２つのケース２０６、２０８（図２１）を合体して構成される。アンテナ２０４は棒状のエレメント２１０を備えており、このエレメント２１０がケース２０８の側部のアンテナ収納部２１２に収納されている。
【０００７】
このアンテナ２０４のアンテナ給電部２１４について、図２１を参照する。アンテナ給電部２１４にはケース２０８を貫通する固定ねじ２１６が設けられ、この固定ねじ２１６はケース２０８の内側に設けたねじ部２１８に固定されている。固定ねじ２１６の傘部とケース２０８との間にはアンテナ２０４の固定部２２０およびＯリング２２２が挟み込まれて固定されている。ケース２０８とねじ部２１８との間にはアンテナ接点２２４が挟み込まれ、このアンテナ接点２２４に給電部材２２６が接している。この給電部材２２６には、接点２２８によって無線部２３０が接続されている。固定ねじ２１６とケース２０８との間にはＯリング２２２が設置され、このＯリング２２２でケース２０８を止水している。アンテナ２０４のエレメント２１０がヒンジ部２３２を介して固定部２２０に固定されている。
【０００８】
このような携帯電話機２００では、アンテナ２０４を固定している固定ねじ２１６がケース２０６に隠蔽されているので、アンテナ２０４を外すには、ケース２０６、２０８を分解する必要がある。アンテナ２０４を外した際、固定ねじ２１６とともにＯリング２２２がケース２０８から離脱することになる。
【０００９】
このようなアンテナ２０４の取付け構造では、組立工程で部品不良や、フィールド返却品などの故障修理のため、アンテナ交換の際に、ケース２０６、２０８の分解を伴い、アンテナの組立てや修理には多くの工数が必要となる。固定ねじ２１６とともにＯリング２２２が外れるため、筐体２０２内の止水機能を低下させるおそれがある。このため、アンテナ単体の交換であっても工場内で行わなければならならず、修理時間が長くなり、修理コストもかかる。
【００１０】
そこで、本開示の携帯端末装置およびその製造方法の目的は、上記課題に鑑み、アンテナの取付け部分を止水領域の外側にし、アンテナの取付けや交換を容易化することにある。
【課題を解決するための手段】
【００１１】
上記目的を達成するため、本開示の携帯端末装置およびその製造方法は、アンテナの固定部を着脱可能に取付けるアンテナ取付け部を備えて筐体の止水領域の外側に設けられたベース部と、該ベース部に設けられ、先端側のフランジ部及び該フランジ部よりベース部側に径小部を有する連結部とを備える給電部材の連結部を止水領域の外側から止水領域の内側に貫通させている。したがって、止水領域の外側にあるアンテナ取付け部でアンテナの取付け、交換を可能にしたものである。
【発明の効果】
【００１２】
本開示の携帯端末装置または携帯端末装置の製造方法によれば、次のいずれかの効果が得られる。
【００１３】
(1) 筐体の止水領域の外部でアンテナの取付けまたは交換を行うことができ、アンテナの取付けや交換を容易化できる。部品不良などでアンテナ交換が必要な際にケースを分解することなく行え、修理工数を削減でき、店頭での交換が可能になる。
【００１４】
(2) 携帯端末装置の保守の容易化とともに、アンテナ交換の迅速化を図ることができ、店頭での簡易交換を行うことができる。
【００１５】
そして、本発明の他の目的、特徴及び利点は、添付図面及び各実施の形態を参照することにより、一層明確になるであろう。
【図面の簡単な説明】
【００１６】
【図１】第１の実施の形態に係る携帯電話機の一例を示す図である。
【図２】第２の実施の形態に係る携帯電話機の一例を示す図である。
【図３】ケースおよびアンテナの取付け構造の分解斜視図である。
【図４】ケースおよびアンテナの取付け構造を示す分解斜視図である。
【図５】アンテナを示す斜視図である。
【図６】給電部材を示す斜視図である。
【図７】接点部材を示す斜視図である。
【図８】ケース側の給電部材と接点部材との係合関係を示す斜視図である。
【図９】給電部材と接点部材の係合状態を示す斜視図である。
【図１０】カバーを示す斜視図である。
【図１１】アンテナ側から見た携帯電話機を示す斜視図である。
【図１２】図１１のXII −XII 線で切断したアンテナ給電部を示す断面図である。
【図１３】アンテナの取付け工程を示すフローチャートである。
【図１４】給電部材の装着前後を示す断面図である。
【図１５】アンテナの取付け前後を示す断面図である。
【図１６】アンテナの交換工程を示すフローチャートである。
【図１７】第３の実施の形態に係る給電部材の一例を示す分解斜視図である。
【図１８】第４の実施の形態に係るアンテナ給電部の止水構造の一例を示す図である。
【図１９】アンテナ給電部の止水構造の変形例を示す図である。
【図２０】アンテナ側から見た従来の携帯端末装置を示した斜視図である。
【図２１】従来のアンテナ給電部を示す断面図である。
【発明を実施するための形態】
【００１７】
〔第１の実施の形態〕
【００１８】
第１の実施の形態について図１を参照する。図１は携帯電話機およびアンテナ給電部の一例を示している。図１に示す構成は一例であって、斯かる構成に本発明が限定されるものではない。
【００１９】
図１の（Ａ）に示す携帯電話機２は本開示の携帯端末装置およびその製造方法の一例である。この携帯電話機２の筐体４には止水領域５が設定されている。止水領域５は、水や塵埃の侵入を遮断するため、筐体４内に周回する止水部材７によって設定されたいわゆる防水領域である。止水部材７はエラストマーなどの止水材料で構成される。
【００２０】
この筐体４には止水領域５に跨がってアンテナ給電部６が設置されている。アンテナ８はたとえば、ＴＶ受信用アンテナであれば、アンテナ８の受信信号がアンテナ給電部６により筐体４内に導かれる。このアンテナ給電部６には給電部材１０が設置され、この給電部材１０は止水領域５の外側から内側に貫通している。この給電部材１０には止水領域５の外側にアンテナ取付け部１２が備えられ、このアンテナ取付け部１２にはアンテナ８が取外し可能に取り付けられている。
【００２１】
給電部材１０には止水領域５内にある接点部材１４を介して高周波回路部１５が接続されている。つまり、アンテナ８は止水領域５の外部で給電部材１０と接続され、この給電部材１０を介して止水領域５内の高周波回路部１５と接続されている。高周波回路部１５は、受信回路や無線部の一例である。
【００２２】
斯かる構成によれば、図１の（Ｂ）に示すように、アンテナ８を筐体４の止水領域５の外部で取外しまたは取付けを行うことができる。アンテナ８の交換やリペアは、筐体４の止水領域５を外気に触れさせることなく行うことができる。つまり、筐体４を分解する必要がなく、携帯電話機２を専門工場に持ち込むことなく、アンテナ８の交換や修理を店頭などで簡易に行うことができる。
【００２３】
〔第２の実施の形態〕
【００２４】
第２の実施の形態について図２を参照する。図２は携帯電話機の一例を示している。図２に示す構成は一例であって、斯かる構成に限定されるものではない。図２において、図１と同一部分には同一符号を付してある。
【００２５】
この携帯電話機２には第１の筐体３に第２の筐体として既述の筐体４を備え、筐体３、４の間には摺動機構および回転機構が備えられている。筐体４をたとえば、固定側筐体とすれば、図２に示すように、筐体３は既述の摺動機構により長手方向（縦方向）に摺動し、既述の回転機構により横方向に回転させることができる。筐体３の上面には情報表示部を兼用するタッチパネル９が搭載されている。
【００２６】
筐体４には第１のケース１６と、第２のケース１８とが備えられている。ケース１６は筐体３側と接する側に設置され、このケース１６の上面部にはキーボードなどが備えられている。これらケース１６、１８は共に絶縁性合成樹脂の成形体であり、ケース１６、１８の合体により筐体４が構成されている。
【００２７】
この筐体４の側面には既述のアンテナ８が設置されている。このアンテナ８には一例として棒状のエレメント１９が備えられ、このエレメント１９は伸縮可能であり、図中のエレメント１９は最も短縮された状態である。このエレメント１９はヒンジ部２０を中心に、破線で示すように１８０度方向に回動させることができる。エレメント１９を円弧回動させれば、電波の受信強度に応じて方向を変更でき、また、伸縮させて受信周波数（波長）に応じた電気長に変更できる。
【００２８】
このアンテナ８の取付け構造について、図３を参照する。図３はケース１８およびアンテナ８の取付け構造を分解して示している。図３において、図１または図２と同一部分には同一符号を付してある。
【００２９】
ケース１８の側面部には、給電部材１０およびアンテナ８の固定部２１が収納される収納室２２が形成され、この収納室２２に隣接してエレメント収納部２４が形成されている。この収納室２２は止水領域５（図１）の外側に形成されている。収納室２２はたとえば、絶縁性合成樹脂によるケース１８の成形加工により形成されている。エレメント収納部２４は、短縮状態にあるアンテナ８のエレメント１９を収納するポケット（凹部）である。
【００３０】
給電部材１０は導電性の良い導体材料で形成され、平板状のベース部２６を備えている。ベース部２６はたとえば、台形状であり、収納室２２内に位置決めされて設置される。収納室２２には貫通孔２８、位置決め部３０および溝部３２を備えている。貫通孔２８は、収納室２２内でケース１８の内外、つまり止水領域５の外側からその内側に貫通している。位置決め部３０はケース１８の底面と平行面を持つ立壁であり、カバー４４の縁部（凸部４８：図１０）が当てられ、給電部材１０が収納室２２内で位置決めされる。溝部３２はアンテナ８にある支持片３４が挿入される。
【００３１】
このベース部２６には前面側にアンテナ取付け部１２が備えられ、背面側に連結ピン３８が備えられている。アンテナ取付け部１２にはねじ孔４０が備えられ、アンテナ８の固定部２１が固定ねじ４２によって固定される。連結ピン３８は接点部材１４（図１）と連結する連結部材の一例である。
【００３２】
収納室２２の貫通孔２８には給電部材１０の連結ピン３８が挿入される。つまり、給電部材１０のベース部２６およびアンテナ取付け部１２は収納室２２に収納され、止水領域５の外側に設置され、連結ピン３８は止水領域５（図４）の外側から内側に貫通する。
【００３３】
収納室２２には取外し可能にカバー４４が取り付けられる。このカバー４４は、収納室２２の開口形状と共通した平面形状のカバー本体４６を備える。このカバー本体４６はたとえば、五角形状であり、このカバー本体４６の側面部には凸部４８および保持部５０が形成されている。凸部４８および保持部５０は収納室２２に挿入されて係合し、これによりカバー４４が収納室２２に取り付けられる。保持部５０にはケース１８側の既述のエレメント収納部２４と共通する係合凹部５２が形成されている。エレメント収納部２４および係合凹部５２はエレメント１９の外周形状に対応した湾曲面部である。係合凹部５２は、エレメント収納部２４に収納されたエレメント１９に当たり、このエレメント１９によってカバー４４の脱落を防止できる。
【００３４】
このアンテナ８の取付け構造について、図４を参照する。図４はケース１８およびアンテナ８の取付け構造を分解して示している。図４において、図２または３と同一部分には同一符号を付してある。
【００３５】
ケース１８には周回状の止水部材７が設置され、この止水部材７がケース１６、１８の接合部分に介在し、既述の止水領域５が筐体４内に形成される。
【００３６】
ケース１８の内部には既述の収納室２２を包摂するブロック部５６が形成され、このブロック部５６は止水領域５内に設置されている。このブロック部５６の側部には接点部材１４を固定する凸部６０および固定凹部６２が形成されている。凸部６０には既述の貫通孔２８の終端が開口され、貫通孔２８には給電部材１０の連結ピン３８を貫通させる。貫通孔２８から突出させた連結ピン３８には接点部材１４を係合させて固定し、これにより給電部材１０が収納室２２に固定される。つまり、給電部材１０のベース部２６と接点部材１４の嵌合部６４との間にケース１８を挟み込み、接点部材１４と連結ピン３８との連結状態で、給電部材１０および接点部材１４がケース１８に固定される。
【００３７】
このように連結ピン３８は、ケース１８の止水領域５の外側から止水領域５の内側に貫通される。そして、連結ピン３８の中途部には止水手段の一例であるＯリング６６が取り付けられる。このＯリング６６は、止水領域５の外側にある収納室２２と止水領域５とを止水分離する。つまり、止水部材７を跨がる給電部材１０において、貫通孔２８の中間部分にあるＯリング６６により止水領域５が形成される。
【００３８】
次に、アンテナ８について図５を参照する。図５の（Ａ）は支持部側から見たアンテナ８を示している。また、図５の（Ｂ）は固定部側から見たアンテナ８を示している。
【００３９】
このアンテナ８には図５の（Ａ）および（Ｂ）に示すように、エレメント１９と、ヒンジ部２０と、固定部２１と、支持部３４を備えている。エレメント１９は伸縮自在であり、このエレメント１９の基端部側にはヒンジ部２０を介して固定部２１および支持部３４が固定されている。固定部２１および支持部３４は単一の金属板の成形体であり、固定部２１はヒンジ部２０の支持軸６８と平行な固定面を備えている。この固定部２１と屈曲させて支持部３４が形成されている。この固定部２１には既述の固定ねじ４２を挿通させる挿通孔７０が形成されている。支持部３４には既述のヒンジ部２０が設けられているとともに、固定部２１と直交する面部を持つ支持片６９が形成されている。この支持片６９が収納室２２の溝部３２に挿入されて支持される。
【００４０】
次に、給電部材１０について図６を参照する。図６の（Ａ）は、アンテナ取付け部側から見た給電部材１０を示している。図６の（Ｂ）は、連結ピン側から見た給電部材１０を示している。
【００４１】
この給電部材１０には、図６の（Ａ）および（Ｂ）に示すように、平板状のベース部２６の外面にアンテナ取付け部１２を備えるとともに、内面側に連結ピン３８が備えられている。アンテナ取付け部１２の中心と連結ピン３８の中心は平行であるとともに、ベース部２６の面方向に変位している。
【００４２】
アンテナ取付け部１２は、連結ピン３８より径大であり、その中心には固定ねじ４２を固定するための既述のねじ孔４０が形成されている。
【００４３】
連結ピン３８は、径大部７４と、径小部７６と、フランジ部７８とを備えている。径大部７４は、ベース部２６側に配置され、既述の貫通孔２８の内径に密着する外径である。径小部７６は径大部７４に対して垂直な段部７７を設けて形成され、既述のＯリング６６の取付け部である。フランジ部７８は径小部７６より径大であり、径大部７４より径小である。このフランジ部７８は、径小部７６の先端をたとえば、加締め加工によって形成されている。加締め加工に代え、削りだしで形成してもよい。Ｏリング６６は、止水材料としてたとえば、止水性の高いゴムを用いて形成された弾性環である。
【００４４】
この給電部材１０の連結ピン３８について、径大部７４および径小部７６の軸長をＬ1 、貫通孔２８の孔長をＬ2 、接点部材１４の肉厚をＷとすると、Ｌ1 ≧Ｌ2 ＋Ｗに設定されている。つまり、フランジ部７８を除く軸長Ｌ1 は貫通孔２８の孔長Ｌ2 に接点部材１４の肉厚Ｗを加算した値と同等かまたは僅かに長い値に設定されている。斯かる構成とすれば、接点部材１４を容易に連結ピン３８に係合させ、接点部材１４を固定することができる。
【００４５】
次に、接点部材１４について図７を参照する。図７は接点部材１４を示している。
【００４６】
この接点部材１４はたとえば、導電性の良い金属板を成形したものであり、この実施の形態では、箱状に成形された嵌合部６４と、平板状の接点部８０とを一体に備えている。嵌合部６４は、連結ピン３８に係合させる側壁部８１と、既述の凸部６０の頂部に被せる天井部８３と、凸部６０の壁面に設置する側壁部８５を備えている。側壁部８１には、連結ピン３８と係合させるＵ字形の切欠部８２が形成されている。接点部８０はケース１８の固定凹部６２に設置されて保持される。
【００４７】
次に、この接点部材１４と給電部材１０との係合関係および係合状態について、図８および図９を参照する。図８は給電部材１０に対する接点部材１４の嵌合前の状態を示している。図９は給電部材１０に対する接点部材１４の嵌合後の状態を示している。
【００４８】
図８に示すように、収納室２２に収納された給電部材１０の連結ピン３８を凸部６０から突出させる。この状態を維持しながら、接点部材１４の嵌合部６４を凸部６０に合わせ、切欠部８２に連結ピン３８の径小部７６を挿入させる。これにより、接点部材１４は図９に示すように、凸部６０に被せられた状態で、連結ピン３８に係合する。このとき、接点部材１４の接点部８０はケース１８の固定凹部６２内に位置決めされて設置される。
【００４９】
次に、カバー４４について図１０を参照する。図１０の（Ａ）および（Ｂ）は、カバーの前面側および背面側を示している。
【００５０】
このカバー４４は収納室２２の蓋部の一例であり、図１０の（Ａ）に示すように、収納室２２に固定される凸部４８および保持部５０をカバー本体４６に備えている。この保持部５０は図１０の（Ｂ）に示すように、背面側に突出しており、収納室２２の内部に収納される。カバー４４の縁部には、収納室２２の縁部に当接させるストッパ部８４が形成され、このストッパ部８４により、カバー４４が収納室２２の閉塞位置に位置決めされて保持される。
【００５１】
カバー本体４６の背面には円形の凹部８６が形成され、この凹部８６には固定ねじ４２の頭部が挿入される。保持部５０の保持面部８８には接着部材９０が接着され、この接着部材９０が収納室２２の内壁面に接着される。これにより、カバー４４が収納室２２に強固に保持される。
【００５２】
次に、アンテナ８の収納状態について図１１を参照する。図１１はアンテナ給電部の組立て状態を示している。
【００５３】
図１１に示すように、ケース１８の収納室２２には、既述の給電部材１０およびアンテナ８の固定部２１を収納し、カバー４４が取り付けられている。アンテナ８のヒンジ部２０およびエレメント１９がケース１８の外側に設置され、ケース１８にあるエレメント収納部２４に収納されている。
【００５４】
アンテナ８のエレメント１９はヒンジ部２０の支持軸６８を中心に回動させることにより、エレメント収納部２４から引き出し、伸縮させることができる。
【００５５】
次に、アンテナ給電部について、図１２を参照する。図１２はアンテナ給電部の断面を示している。
【００５６】
アンテナ給電部６は図１２に示すように、給電部材１０および接点部材１４を備えている。収納室２２に設置された給電部材１０の連結ピン３８は、ケース１８の貫通孔２８に挿入され、止水領域５の外側から内側に貫通している。貫通孔２８の収納室２２側の開口にはテーパ部９２が形成されており、このテーパ部９２により連結ピン３８を容易に挿入することができる。
【００５７】
連結ピン３８の中間部にはＯリング６６が取り付けられ、このＯリング６６が貫通孔２８の中間で内壁に接している。つまり、Ｏリング６６は貫通孔２８の内壁と連結ピン３８との間に圧縮状態で保持されている。したがって、貫通孔２８では、Ｏリング６６を境界にして止水領域５が設定され、貫通孔２８は収納室２２側の止水領域５の外側に開口される一方、凸部６０から止水領域５内に開口されている。Ｏリング６６は連結ピン３８の中間部にある段部７７に当接して連結ピン３８上に支持され、貫通孔２８を止水している。
【００５８】
ケース１８内に突出した連結ピン３８の径小部７６には接点部材１４の嵌合部６４が嵌合されている。これにより、給電部材１０と接点部材１４との電気的な接続が図られている。また、給電部材１０のベース部２６と接点部材１４とは、両者間にケース１８を挟み込んでケース１８に固定されている。
【００５９】
収納室２２を閉じるカバー４４は収納室２２に固定されているとともに、ケース１８のエレメント収納部２４に収納されたエレメント１９とケース１８との間に挟み込まれている。
【００６０】
次に、アンテナ８の取付け手順について図１３、図１４および図１５を参照する。図１３はアンテナの取付け手順を示している。図１４は給電部材１０の装着前後を示している。図１５はアンテナの固定前後を示している。図１４および図１５において、図１ないし図１２と同一部分には同一符号を付してある。
【００６１】
この取付け手順は本開示の携帯端末装置の製造方法の一例である。図１３に示す取付け手順では、ケース１８に形成されている収納室２２に給電部材１０を設置する（ステップＳ１１）。この設置工程では、図１４の（Ａ）に示すように、給電部材１０を収納室２２に合わせ、図１４の（Ｂ）に示すように、収納室２２に給電部材１０のベース部２６を嵌め込み、ベース部２６にある連結ピン３８を収納室２２内の貫通孔２８に貫通させる。
【００６２】
収納室２２内に給電部材１０が設置され、ケース１８内に突出した連結ピン３８に接点部材１４を嵌合する（ステップＳ１２）。図１５の（Ａ）に示すように、連結ピン３８の径小部７６に接点部材１４の切欠部８２を合わせ、図８および図１５の（Ｂ）に示すように、切欠部８２内に径小部７６を挿入させ、連結ピン３８に接点部材１４を嵌合させる。
【００６３】
この工程により、貫通孔２８内にＯリング６６とともに連結ピン３８が設置されるので、これによりアンテナ給電部６に止水領域５が形成される。
【００６４】
収納室２２内に設置された給電部材１０のアンテナ取付け部１２にアンテナ８の組込みを行う（ステップＳ１３）。このアンテナ組込み工程では、アンテナ８の固定部２１にある支持部３４を収納室２２の溝部３２に挿入し、ケース１８にアンテナ８を保持させるとともに、固定部２１の挿通孔７０をアンテナ取付け部１２のねじ孔４０に合致させる。
【００６５】
アンテナ取付け部１２に固定ねじ４２によってアンテナ８の固定部２１を固定する（ステップＳ１４）。この固定工程では、固定部２０にある挿通孔７０から固定ねじ４２をアンテナ取付け部１２に締め付ける。
【００６６】
そして、収納室２２にカバー４４を取り付ける（ステップＳ１５）。カバー４４は保持部５０をアンテナ８のエレメント１９の背後に潜らせ、エレメント収納部２４とカバー４４の保持部５０の係合凹部５２とを合致させ、収納室２２に固定する。これにより、図１１に示すように、収納室２２がカバー４４によって閉塞され、アンテナ給電部６の給電部材１０およびアンテナ８の固定部２１が収納室２２およびカバー４４の閉塞空間内に隠蔽される。
【００６７】
このアンテナ８の交換手順について図１６を参照する。図１６はアンテナ交換手順の一例を示している。
【００６８】
このアンテナ交換手順は、本開示の携帯端末装置の製造方法の一例である。図１６に示すアンテナ交換手順では、携帯電話機２からカバー４４の取外しを行う（ステップＳ２１）。カバー４４を取り外すと、収納室２２は固定ねじ４２が露出するので、固定部２１を固定している固定ねじ４２を緩め、アンテナ８を取り外す（ステップＳ２２）。
【００６９】
収納室２２にある給電部材１０のアンテナ取付け部１２に交換するアンテナ８を取り付ける（ステップＳ２３）。このアンテナ８の取付けでは、図１５の（Ａ）に示すように、給電部材１０のアンテナ取付け部１２にアンテナ８の固定部２１を合わせ、図１５の（Ｂ）に示すように、固定ねじ４２により固定する。
【００７０】
アンテナ８の取付け後、カバー４４の取付けを行う（ステップＳ２４）。カバー４４は図１２に示すように、アンテナ８のエレメント１９にカバー４４の保持部５０を潜らせ、収納室２２に固定し、固定部２１および給電部材１０を収納室２２に隠蔽する。
【００７１】
この第１の実施の形態について、効果を以下に列挙する。
【００７２】
(1) 筐体４の止水領域５の内外に跨がる給電部材１０を備え、この給電部材１０の止水領域５の外側にあるアンテナ取付け部１２でアンテナ８を着脱することができ、アンテナ８の交換やリペアを行うことができる。
【００７３】
(2) 部品不良などでアンテナ８を交換する際には、筐体４を分解する必要がなく、修理工数を削減できる。
【００７４】
(3) アンテナ８の交換の際には、カバー４４を外し、筐体４の止水領域５の外側から簡易な工具たとえば、ドライバーで固定ネジ４２を外すだけで、アンテナ８を外し、アンテナ８を取り付けることができ、店頭交換や店頭修理など、迅速な保守対応が可能である。      
【００７５】
(4) アンテナ交換の際にケース１６、１８を分解しないので、止水領域５を外気に晒すことがなく、止水領域５内を防護することができる。
【００７６】
〔第３の実施の形態〕
【００７７】
第３の実施の形態について、図１７を参照する。図１７は給電部材１０の一例を示している。図１７において、図６と同一部分には同一符号を付してある。
【００７８】
第２の実施の形態では、給電部材１０を単一部材で構成したが、図１７に示すように、ベース部２６、アンテナ取付け部１２および連結ピン３８をそれぞれ独立した部材で構成してもよい。この場合、ベース部２６には円環状のアンテナ固定部１２をたとえば、溶接などの固定手段により固定してもよい。連結ピン３８の径大部７４に形成されたねじ部９４を、ベース部２６に形成したねじ孔９６に固定する構成としてもよい。
【００７９】
斯かる構成とすれば、給電部材１０の各部を単一部材で構成する場合に比較して部品点数が増加するものの、製造コストを低減でき、各部材を所望の形状や大きさにできるなど、対応の容易化を図ることができる。
【００８０】
〔第４の実施の形態〕
【００８１】
第４の実施の形態について、図１８を参照する。図１８は止水構造の一例を示している。図１８において、図１２と同一部分には同一符号を付してある。
【００８２】
第２の実施の形態では、給電部材１０の連結ピン３８にＯリング６６を取付け、このＯリング６６とともに連結ピン３８を貫通孔２８に取り付けることにより、止水構造を構成している。これに対し、図１８の（Ａ）に示すように、貫通孔２８側にＯリング６６を設置してもよい。斯かる構成では、Ｏリング６６内に給電部材１０の連結ピン３８を貫通させ、図１８の（Ｂ）に示すように、径大部７４と径小部７６との段部７７と、接点部材１４との間にＯリング６６を挟み込んで止水構造を構成してもよい。
【００８３】
この変形例について、図１９を参照する。図１９は止水構造の一例を示している。図１９において、図１８と同一部分には同一符号を付してある。
【００８４】
図１９の（Ａ）に示すように、貫通孔２８の収納室２２側の開口部にＯリング６６を設置してもよい。この場合、給電部材１０の連結ピン３８は径小部７６とフランジ部７８とすればよい。斯かる構成では、図１９の（Ｂ）に示すように貫通孔２８の入口部にあるＯリング６６内に給電部材１０の連結ピン３８を貫通させて止水構造が構成される。給電部材１０は、貫通孔２８を貫通した連結ピン３８の径小部７６に接点部材１４を係合させて固定される点は上記実施の形態と同様である。
【００８５】
〔他の実施の形態〕
【００８６】
(1) 上記実施の形態では、携帯端末装置として携帯電話機２を例示したが、これに限定されない。パーソナルコンピュータや携帯情報端末機（ＰＤＡ：Personal Digital Assistant）であってもよく、本開示の携帯端末装置に含まれる。
【００８７】
(2) 上記実施の形態では、縦方向に摺動したり、横方向に回動する携帯電話機を例示したが、折畳み構造の携帯電話機であってもよい。
【００８８】
(3) 上記実施の形態では、ＴＶ受信用のアンテナ８を例示したが、ＴＶ受信以外の無線送信用や受信用のアンテナであってもよい。
【００８９】
(4) 上記実施の形態では、給電部材１０が接続される止水領域５の部材として接点部材１４や高周波回路部１５を例示したが、送信回路の無線部であってもよい。
【００９０】
以上述べた実施例を含む実施の形態に関し、更に以下の付記を開示する。以下の付記に本発明が限定されるものではない。
【００９１】
（付記１）  筐体と、
前記筐体の止水領域の外側に設置されるアンテナと、
前記アンテナを取り付けるアンテナ取付け部を前記筐体の止水領域の外側に備え、かつ前記止水領域の外側から前記止水領域の内側に貫通する給電部材と、
を備えることを特徴とする携帯端末装置。
【００９２】
（付記２）  さらに、前記給電部材は、
前記アンテナ取付け部を備えるベース部と、
前記ベース部に設けられて前記止水領域の外側から前記止水領域の内側に貫通し、前記止水領域の内側にある部材と連結される連結部と、
を備えることを特徴とする付記１に記載の携帯端末装置。
【００９３】
（付記３）  さらに、前記給電部材または前記筐体に設けられ、前記止水領域を止水する止水手段と、
を備えることを特徴とする付記１または２に記載の携帯端末装置。
【００９４】
（付記４）  さらに、前記筐体の前記止水領域に設置され、前記筐体を前記給電部材との間に挟み込んで前記給電部材と係合する接点部材と、
を備えたことを特徴とする付記１ないし３の何れかに記載の携帯端末装置。
【００９５】
（付記５）  さらに、前記アンテナ取付け部が設置された収納部に取外し可能に取り付けられ、前記アンテナが取り付けられた前記アンテナ取付け部を覆うカバーと、
を備えることを特徴とする付記１ないし４の何れかに記載の携帯端末装置。
【００９６】
（付記６）  さらに、前記アンテナは、
前記アンテナ取付け部に固定される固定部と、
前記筐体に設けられた溝部に挿入されて前記筐体に支持される支持部と、
を備えることを特徴とする付記１ないし５の何れかに記載の携帯端末装置。
【００９７】
（付記７）  さらに、前記筐体は、前記止水領域に凹部または凸部を備え、
前記接点部材は、前記凹部または前記凸部と係合して前記筐体に固定される係合部を備える、
ことを特徴とする付記４ないし６の何れかに記載の携帯端末装置。
【００９８】
（付記８）  前記止水手段は、防水材料で形成され、前記給電部材または前記筐体に取り付けられたＯリングであることを特徴とする付記３ないし７の何れかに記載の携帯端末装置。
【００９９】
（付記９）  筐体の止水領域の外側に給電部材のアンテナ取付け部を配置し、前記筐体の前記止水領域の外側から前記止水領域の内側に貫通させて前記給電部材を前記筐体に取り付け、
前記給電部材または前記筐体に取り付けられた止水手段で前記止水領域を止水し、
前記筐体の前記止水領域の外側に配置された前記アンテナ取付け部にアンテナを取り付ける、
ことを特徴とする携帯端末装置の製造方法。
【０１００】
以上説明したように、携帯端末装置およびその製造方法の最も好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【符号の説明】
【０１０１】
２  携帯電話機
４  筐体
５  止水領域
６  アンテナ給電部
７  止水部材
８  アンテナ
１０  給電部材
１２  アンテナ取付け部
１４  接点部材
１５  高周波回路部
１６  ケース
１８  ケース
２１  固定部
２２  収納室
２６  ベース部
２８  貫通孔
３４  支持片
３８  連結ピン
４４  カバー
５０  保持部
６６  Ｏリング
【図１】
0005796323.tif 000002
【図２】
0005796323.tif 000003
【図３】
0005796323.tif 000004
【図４】
0005796323.tif 000005
【図５】
0005796323.tif 000006
【図６】
0005796323.tif 000007
【図７】
0005796323.tif 000008
【図８】
0005796323.tif 000009
【図９】
0005796323.tif 000010
【図１０】
0005796323.tif 000011
【図１１】
0005796323.tif 000012
【図１２】
0005796323.tif 000013
【図１３】
0005796323.tif 000014
【図１４】
0005796323.tif 000015
【図１５】
0005796323.tif 000016
【図１６】
0005796323.tif 000017
【図１７】
0005796323.tif 000018
【図１８】
0005796323.tif 000019
【図１９】
0005796323.tif 000020
【図２０】
0005796323.tif 000021
【図２１】
0005796323.tif 000022